(57)【特許請求の範囲】
【請求項１】
かごへの出入口の側部の出入口柱に設けられ、戸開時に上記出入口柱から戸閉方向へ瞬時突出することにより、戸が開くことを触感で警告するための可動体を備えていることを特徴とするエレベータの安全装置。
【請求項２】
出入口柱に設けられ、戸開時に可動体により押圧されて変形し戸閉方向へ突出する可撓性のカバーを備えていることを特徴とする請求項１記載のエレベータの安全装置。
【請求項３】
戸開信号を受けて励磁される電磁石と、この電磁石により吸引され可動体を移動させる作動板と、上記電磁石の非励磁時に上記作動板を待機位置に復元させる復元手段とを備えていることを特徴とする請求項１又は請求項２に記載のエレベータの安全装置。
【発明の詳細な説明】
【０００１】
【発明の属する技術分野】
この発明は、戸開時に出入口の側部と戸との間に乗客の手などが挟まれるのを防止するためのエレベータの安全装置に関するものである。
【０００２】
【従来の技術】
図５は従来のエレベータのかごの戸及びその周囲をかご室内から見た正面図であり、ここでは代表的な戸形式の１つである２枚戸２枚中央開き式の例を示している。図において、１はかご床、２ａ，２ｂはかご床１上に設けられているかご室壁、３ａ，３ｂはかご室壁２ａ，２ｂの下端部に設けられている幅木、４はかご室壁２ａ，２ｂ上に設けられている天井である。
【０００３】
５ａ，５ｂはかご室壁２ａ，２ｂに固定されている一対の出入口柱、６は出入口柱５ａ，５ｂの上端部間に設けられている上板、７は出入口柱５ａ，５ｂ及び上板６により形成されている出入口、８ａ，８ｂは出入口７を開閉するかごの戸、９は上板６に取り付けられ、かごの位置を表示する位置表示器、１０はかご室壁２ａに取り付けられている操作盤である。
【０００４】
次に、図６は図５の要部を拡大して示す正面図、図７は図６のＶＩＩ−ＶＩＩ線断面図である。図において、１１は出入口柱５ａ，５ｂの裏側（かごの戸８ａ，８ｂに対向する面）に貼り付けられ、圧力を感知するテープスイッチであり、このテープスイッチ１１は、図８に示すように、出入口柱５ａ，５ｂに貼り付けられた中空の被覆１２と、この被覆１２内に設けられ互いに対向する一対の導体１３，１４と、導体１３，１４間に介在されている弾力性の絶縁部１５，１６とを有している。
【０００５】
このようなエレベータでは、戸開時に乗客の手などが出入口柱５ａ，５ｂとかごの戸８ａ，８ｂとの間に引き込まれた場合、被覆１２を介して導体１３が押圧され、導体１３と導体１４とが接触する。これにより、エレベータの制御盤（図示せず）に信号が出力され、かごの戸８ａ，８ｂが反転される。
【０００６】
次に、図９は従来のエレベータのかご室の他の例を示す正面図であり、ここでは代表的な戸形式の１つである２枚戸２枚片開き式の例を示している。この例では、低速側及び高速側の戸１７ａ，１７ｂの両方がかご室壁２ａの裏側の戸袋へ移動されることにより、出入口７が開放される。従って、図８と同様の引き込み防止のテープスイッチ１１が、出入口柱５ａの裏側のみに配置される。
【０００７】
【発明が解決しようとする課題】
上記のように構成された従来のエレベータでは、戸開時の引き込みをテープスイッチ１１により検出することができるものの、テープスイッチ１１のみでは引き込みを未然に防止することができなかった。また、出入口柱５ａ，５ｂとかごの戸８ａ，８ｂとの間の隙間（又は戸袋側の出入口柱５ａと低速側の戸１７ａとの間の隙間）の寸法が小さいため、テープスイッチ１１の厚さが例えば１ｍｍ以下に制限され、テープスイッチ１１の信頼性を十分に確保できなかった。
【０００８】
この発明は、上記のような問題点を解決することを課題としてなされたものであり、戸開時の引き込みを未然に防止することができ、安全性を向上させることができるエレベータの安全装置を得ることを目的とする。
【０００９】
【課題を解決するための手段】
この発明に係るエレベータの安全装置は、かごへの出入口の側部の出入口柱に設けられ、戸開時に出入口柱から戸閉方向へ瞬時突出することにより、戸が開くことを触感で警告するための可動体を備えたものである。
【００１０】
この発明に係るエレベータの安全装置は、出入口柱に設けられ、戸開時に可動体により押圧されて変形し戸閉方向へ突出する可撓性のカバーを備えたものである。
【００１１】
請求項３の発明に係るエレベータの安全装置は、戸開信号を受けて励磁される電磁石と、この電磁石により吸引され可動体を瞬時移動させる作動板と、電磁石の非励磁時に作動板を待機位置に復元させる復元手段とを備えたものである。
【００１２】
【発明の実施の形態】
以下、この発明の実施の形態を図について説明する。図１はこの発明の実施の形態の一例によるエレベータの安全装置の取付状態を示す正面図、図２は図１のＩＩ−ＩＩ線断面図である。図において、２１は出入口柱５ａ，５ｂ（片開き式では戸袋側の出入口柱５ａ）に設けられ、戸開時の引き込みを防止するための安全装置で、必要に応じて複数台の安全装置２１が設置されている。
【００１３】
図３は図１の安全装置２１を示す構成図、図４は図３のＩＶ−ＩＶ線断面図である。図において、２２は出入口柱５ａ，５ｂに設けられた段部５ｃを覆うカバーであり、このカバー２２は、例えばゴム等の可撓性（柔軟性）を有する材料により構成されている。２３は出入口柱５ａ，５ｂに取付座２４を介して固定されているケース、２５はケース２３内に固定されている電磁石であり、この電磁石２５は、鉄心２６とコイル２７とを有している。
【００１４】
２８はケース２３内に往復動可能に設けられ、電磁石２５により吸着される作動板、２９は電磁石２５に対向するように作動板２８に固定され、電磁石２５の作動板２８に対する吸着力を強化する磁石板、３０はケース２３と作動板２８との間に設けられ、電磁石２５の非励磁時に作動板２８を待機位置に復元させる復元手段としての複数の復帰ゴムである。
【００１５】
３１は基端部が作動板２８に固定されている複数の動作軸、３２は動作軸３１の先端部に固定され、かつカバー２２の内面に当接している可動体としての当て板である。
【００１６】
次に、動作について説明する。戸開直前に制御盤から戸開表示信号（戸開前約１〜２秒間のパルス信号）が出力されると、コイル２７に直流電流が流れて電磁石２５が励磁される。これにより、磁石板２９及び作動板２８が復帰ゴム３０を押し縮めながら電磁石２５に吸着され、動作軸３１及び当て板３２が図３及び図４の左方へ移動される。このとき、カバー２２は、可撓性の材料から構成されているため、当て板３２により押圧されて出入口７へ突出するように変形する。但し、カバー２２は出入口柱５ａ，５ｂに固定された状態で変形（伸縮）するため、カバー２２と出入口柱５ａ，５ｂとの間に段差や隙間が生じることはない。
【００１７】
このように、戸開動作の直前にカバー２２が出入口７側へ突出することにより、カバー２２に乗客の手などが接触していた場合に、戸が開くことが触感で乗客に警告される。従って、戸開時の引き込みが未然に防止される。
【００１８】
また、電磁石２５が励磁され所定の時間が経過した後、コイル２７への通電電流が遮断されると、復帰ゴム３０の復元力により、磁石板２９及び作動板２８が電磁石２５から開離され、動作軸３１及び当て板３２が待機位置に復元される。これにより、カバー２２の形状も復元され、カバー２２の表面が出入口柱５ａ，５ｂの表面に対して面一となる。
【００１９】
このような安全装置２１では、戸が開くことを戸開動作直前に触感で乗客に知らせることができるので、戸開時の引き込みを未然に防止することができ、安全性を向上させることができる。また、柔軟性のあるカバー２２により表面が覆われているため、乗客の手などが万一引き込まれそうになった場合でも、容易に引き抜くことができる。
【００２０】
なお、安全装置２１の設置位置や個数は特に限定されるものではなく、例えば片開き式のエレベータでは戸袋側のみに設けることも可能である。
また、上記の例では安全装置２１のみを設けたが、従来例として示したテープスイッチ１１と併用することも可能である。
さらに、上記の例ではかご側の出入口７に安全装置２１を設けたが、乗場側の出入口に設けることも可能である。
【００２１】
【発明の効果】
以上説明したように、請求項１の発明のエレベータの安全装置は、戸開時に出入口側へ移動することにより、戸が開くことを触感で警告するための可動体を、かごへの出入口の側部に設けたので、戸開時の引き込みを未然に防止することができ、安全性を向上させることができる。
【００２２】
請求項２の発明のエレベータの安全装置は、戸開時に可動体により押圧されて変形し出入口側へ突出する可撓性のカバーを出入口の側部に設けたので、可動体の移動によりカバーの周囲に段差や隙間が生じるのを防止することができるとともに、乗客の手などが万一引き込まれそうになった場合でも、容易に引き抜くことができる。
【００２３】
請求項３の発明のエレベータの安全装置は、戸開信号を受けて励磁される電磁石と、この電磁石により吸引され可動体を移動させる作動板と、電磁石の非励磁時に作動板を待機位置に復元させる復元手段とを備えたので、簡単な構成で可動体をより確実に動作させることができる。
【図面の簡単な説明】
【図１】この発明の実施の形態の一例によるエレベータの安全装置の取付状態を示す正面図である。
【図２】図２は図１のＩＩ−ＩＩ線断面図である。
【図３】図１の安全装置を示す構成図である。
【図４】図３のＩＶ−ＩＶ線断面図である。
【図５】従来のエレベータのかごの戸及びその周囲をかご室内から見た正面図である。
【図６】図５の要部を拡大して示す正面図である。
【図７】図６のＶＩＩ−ＶＩＩ線断面図である。
【図８】図６のテープスイッチの断面図である。
【図９】従来のエレベータのかご室の他の例を示す正面図である。
【符号の説明】
７  出入口、８ａ，８ｂ  かごの戸、２１  安全装置、２２  カバー、２５  電磁石、２８  作動板、３０  復帰ゴム（復元手段）、３２  当て板（可動体）。
【図１】
0003557350.tif 000002
【図２】
0003557350.tif 000003
【図３】
0003557350.tif 000004
【図４】
0003557350.tif 000005
【図５】
0003557350.tif 000006
【図６】
0003557350.tif 000007
【図７】
0003557350.tif 000008
【図８】
0003557350.tif 000009
【図９】
0003557350.tif 000010